(57)【要約】【課題】電装品箱の防水性を向上させる。【解決手段】ケーシング（31）は、室内ファン（23）および室内熱交換器（22）を収容している。電装品箱（50）は、ケーシング（31）の外側取付面（310）に設けられている。庇部（61）は、ケーシング（31）の外側取付面（310）に設けられ、電装品箱（50）の上端面を覆うように延出している。【選択図】図５
2014215014.tif 000002
【特許請求の範囲】
【請求項１】
天井（U）に設けられる空気調和機（1）の室内ユニット（20）であって、
室内ファン（23）および室内熱交換器（22）を収容するケーシング（31）と、
上記ケーシング（31）の外側取付面（310）に設けられる電装品箱（50）と、
上記ケーシング（31）の外側取付面（310）に設けられ、上記電装品箱（50）の上端面を覆うように延出する庇部（61）とを備えている
ことを特徴とする空気調和機の室内ユニット。
【請求項２】
請求項１において、
上記庇部（61）は、上記電装品箱（50）の上端部を下方から嵌め込み可能な凹板部（61a）を有している
ことを特徴とする空気調和機の室内ユニット。
【請求項３】
請求項１または２において、
上記電装品箱（50）の上記ケーシング（31）の外側取付面（310）に対向する対向面（50a）の両側面（50b）を挟み込むように該ケーシング（31）の外側取付面（310）に突設され、該電装品箱（50）の両側面（50b）に取り外し可能に取り付けられる一対の取付片部（62）をさらに備えている
ことを特徴とする空気調和機の室内ユニット。
【請求項４】
請求項１〜３のいずれか１項において、
上記庇部（61）は、１枚の板金によって構成されている
ことを特徴とする空気調和機の室内ユニット。
【請求項５】
請求項１〜４のいずれか１項において、
上記ケーシング（31）の外側取付面（310）には、該ケーシング（31）内に設けられた配管に連通する接続管（P3,P4,P5）が突設されている
ことを特徴とする空気調和機の室内ユニット。
【請求項６】
請求項１〜５のいずれか１項において、
上記ケーシング（31）内に収容されたベルマウス（33）と、
上記ケーシング（31）の下部に取り付けられる化粧パネル（40）とをさらに備え、
上記化粧パネル（40）には、上記ケーシング（31）の下部に該化粧パネル（40）を吊り下げるための引っ掛け部（81）が設けられ、
上記ベルマウス（33）には、上記化粧パネル（40）の引っ掛け部（81）が引っ掛けられることにより化粧パネル（40）を吊り下げ可能なフック部（82）が設けられている
ことを特徴とする空気調和機の室内ユニット。
【発明の詳細な説明】
【技術分野】
【０００１】
この発明は、空気調和機の室内ユニットに関し、特に、天井に設けられる室内ユニットに関する。
【背景技術】
【０００２】
従来より、空気調和機の室内ユニットを天井に設けることが知られている。例えば、特許文献１には、室内ファンや室内熱交換器などを収容して天井内に埋設されるケーシングと、そのケーシングの下部に取り付けられる化粧パネルとを備えた室内ユニットが記載されている。また、ケーシングの外側面には、電装品箱が設けられている。
【先行技術文献】
【特許文献】
【０００３】
【特許文献１】特開２００８−６４３９４号公報
【発明の概要】
【発明が解決しようとする課題】
【０００４】
しかしながら、特許文献１の室内ユニットでは、ケーシングの外側面に電装品箱が設けられているので、電装品箱の上方から落下する水滴（例えば、雨漏りによる水滴）から電装品箱を保護することができず、電装品箱の防水性を向上させることが困難であった。
【０００５】
そこで、この発明は、電装品箱の防水性を向上させることが可能な室内ユニットを提供することを目的とする。
【課題を解決するための手段】
【０００６】
第１の発明は、天井（U）に設けられる空気調和機（1）の室内ユニット（20）であって、室内ファン（23）および室内熱交換器（22）を収容するケーシング（31）と、上記ケーシング（31）の外側取付面（310）に設けられる電装品箱（50）と、上記ケーシング（31）の外側取付面（310）に設けられ、上記電装品箱（50）の上端面を覆うように延出する庇部（61）とを備えていることを特徴とする空気調和機の室内ユニットである。
【０００７】
上記第１の発明では、庇部（61）によって電装品箱（50）の上端面を覆うことにより、電装品箱（50）の上方から落下する水滴（例えば、雨漏りによる水滴）から電装品箱（50）を保護することができる。
【０００８】
第２の発明は、上記第１の発明において、上記庇部（61）が、上記電装品箱（50）の上端部を下方から嵌め込み可能な凹板部（61a）を有していることを特徴とする空気調和機の室内ユニットである。
【０００９】
上記第２の発明では、電装品箱（50）の上端部を庇部（61）の凹板部（61a）に嵌め込むことにより、庇部（61）によって電装品箱（50）の上端部を支持することができる。
【００１０】
第３の発明は、上記第１または第２の発明において、上記電装品箱（50）の上記ケーシング（31）の外側取付面（310）に対向する対向面（50a）の両側面（50b）を挟み込むように該ケーシング（31）の外側取付面（310）に突設され、該電装品箱（50）の両側面（50b）に取り外し可能に取り付けられる一対の取付片部（62）をさらに備えていることを特徴とする空気調和機の室内ユニットである。
【００１１】
上記第３の発明では、一対の取付片部（62）を電装品箱（50）の両側面（50b）に取り付けることにより、電装品箱（50）を固定することができる。さらに、電装品箱（50）の両側面（50b）を挟み込むように一対の取付片部（62）が突設されているので、電装品箱（50）の両側面（50b）から一対の取付片部（62）が取り外されている場合に、一対の取付片部（62）の間に配置された電装品箱（50）を上下方向および前後方向に移動させることができる。
【００１２】
第４の発明は、上記第１〜第３の発明のいずれか１つにおいて、上記庇部（61）が、１枚の板金によって構成されていることを特徴とする空気調和機の室内ユニットである。
【００１３】
上記第４の発明では、庇部（61）の繋ぎ目をなくすことができるので、庇部（61）の繋ぎ目からの水漏れを防止することができる。
【００１４】
第５の発明は、上記第１〜第４の発明のいずれか１つにおいて、上記ケーシング（31）の外側取付面（310）に、該ケーシング（31）内に設けられた配管に連通する接続管（P3,P4,P5）が突設されていることを特徴とする空気調和機の室内ユニットである。
【００１５】
上記第５の発明では、ケーシング（31）の外側取付面（310）に電装品箱（50）および接続管（P3,P4,P5）が纏めて設けられている。
【００１６】
第６の発明は、上記第１〜第５の発明のいずれか１つにおいて、上記ケーシング（31）内に収容されたベルマウス（33）と、上記ケーシング（31）の下部に取り付けられる化粧パネル（40）とをさらに備え、上記化粧パネル（40）に、上記ケーシング（31）の下部に該化粧パネル（40）を吊り下げるための引っ掛け部（81）が設けられ、上記ベルマウス（33）に、上記化粧パネル（40）の引っ掛け部（81）が引っ掛けられることにより化粧パネル（40）を吊り下げ可能なフック部（82）が設けられていることを特徴とする空気調和機の室内ユニットである。
【００１７】
上記第６の発明では、ケーシング（31）に収容されたベルマウス（33）のフック部（82）に化粧パネル（40）の引っ掛け部（81）を引っ掛けることにより、ケーシング（31）の下部に化粧パネル（40）を吊り下げることができる。
【発明の効果】
【００１８】
第１の発明によれば、電装品箱（50）の上方から落下する水滴から電装品箱（50）を保護することができるので、電装品箱（50）の防水性を向上させることができる。
【００１９】
第２の発明によれば、庇部（61）によって電装品箱（50）の上端部を支持することができるので、電装品箱（50）の取付強度を向上させることができる。
【００２０】
第３の発明によれば、一対の取付片部（62）の間に配置された電装品箱（50）を上下方向および前後方向に移動させることができるので、電装品箱（50）の取り付け作業および取り外し作業を容易にすることができる。
【００２１】
第４の発明によれば、庇部（61）の繋ぎ目からの水漏れを防止することができるので、庇部（61）による防水効果を向上させることができる。
【００２２】
第５の発明によれば、ケーシング（31）の外側取付面（310）に電装品箱（50）および接続管（P3,P4,P5）を纏めて設けることにより、室内ユニット（20）の設置作業および保守作業を容易にすることができる。
【００２３】
第６の発明によれば、ケーシング（31）の下部に化粧パネル（40）を吊り下げることができるので、ケーシング（31）の下部への化粧パネル（40）の取り付け作業を容易にすることができる。
【図面の簡単な説明】
【００２４】
【図１】空気調和機の構成について説明するための配管系統図。
【図２】室内ユニットの外観を示す概略斜視図。
【図３】室内ユニットの構造について説明するための概略縦断面図。
【図４】室内ユニットの構造について説明するための概略平面図。
【図５】電装品箱の取付構造について説明するための概略斜視図。
【図６】電装品箱の取付構造について説明するための概略側面図。
【図７】庇部および取付片部について説明するための概略斜視図。
【図８】電装品箱の取り付け作業について説明するための概略斜視図。
【図９】化粧パネルの構造について説明するための概略平面図。
【図１０】室内ユニットの仮掛構造について説明するための概略部分側面図。
【図１１】室内ユニットの仮掛構造について説明するための概略部分断面図。
【発明を実施するための形態】
【００２５】
以下、この発明の実施の形態を図面を参照して詳しく説明する。なお、図中同一または相当部分には同一の符号を付しその説明は繰り返さない。
【００２６】
（空気調和機）
図１は、空気調和機（1）の構成例を示している。この空気調和機（1）は、室内の冷房および暖房を行うものであり、室外に設置される室外ユニット（10）と、室内に設置される室内ユニット（20）とを備えている。室外ユニット（10）と室内ユニット（20）は、冷媒回路（C）が構成されるように液連絡配管（P1）およびガス連絡配管（P2）によって互いに接続されている。この冷媒回路（C）では、充填された冷媒を循環させることによって蒸発圧縮式の冷凍サイクルが行われる。
【００２７】
〔室外ユニット〕
室外ユニット（10）には、圧縮機（11）と、室外熱交換器（12）と、室外膨張弁（13）と、四方切換弁（14）と、液連絡配管（P1）の一端に接続される液側閉鎖弁（V1）と、ガス連絡配管（P2）の一端に接続されるガス側閉鎖弁（V2）とが設けられている。また、室外熱交換器（12）の近傍には、室外熱交換器（12）に室外空気を搬送するための室外ファン（15）が設けられている。この例では、室外ファン（15）は、プロペラファンによって構成され、動力源として室外ファンモータ（15a）を有している。室外ファンモータ（15a）は、インバータ装置（図示を省略）によって回転数を変更することができるように構成されている。
【００２８】
圧縮機（11）は、低圧の冷媒を圧縮して圧縮後の高圧の冷媒を吐出する。この例では、圧縮機（11）は、スクロール式やロータリ式などの圧縮機構と、その圧縮機構を駆動するための圧縮機モータ（11a）とを有している。圧縮機モータ（11a）は、インバータ装置（図示を省略）によって回転数（運転周波数）を変更することができるように構成されている。
【００２９】
室外熱交換器（12）は、室外ファン（15）によって搬送された室外空気と室外熱交換器（12）内を流れる冷媒とが熱交換するように構成されている。例えば、室外熱交換器（12）は、フィン・アンド・チューブ式の熱交換器によって構成されている。
【００３０】
室外膨張弁（13）は、室外熱交換器（12）の液側端部と液側閉鎖弁（V1）との間に接続され、室外膨張弁（13）内を通過する冷媒を減圧する。例えば、室外膨張弁（13）は、開度が可変な電子膨張弁によって構成されている。
【００３１】
四方切換弁（14）は、第１から第４までのポートを有している。四方切換弁（14）において、第１ポートは、圧縮機（11）の吐出側端部に接続され、第２ポートは、圧縮機の吸入側端部に接続され、第３ポートは、室外熱交換器（12）のガス側端部に接続され、第４ポートは、ガス閉鎖弁（V2）に接続されている。そして、四方切換弁（14）は、第１状態（図１の実線で示す状態）と第２状態（図１の破線で示す状態）とを切り換え可能に構成されている。第１状態の四方切換弁（14）では、第１ポートと第３ポートとが連通するとともに第２ポートと第４ポートとが連通し、第２状態の四方切換弁（14）では、第１ポートと第４ポートとが連通するとともに第２ポートと第３ポートとが連通する。
【００３２】
〔室内ユニット〕
室内ユニット（20）には、室内膨張弁（21）と、室内熱交換器（22）とが設けられている。室内熱交換器（22）の近傍には、室内熱交換器（22）に室内空気を搬送するための室内ファン（23）が設けられている。この例では、室内ファン（23）は、遠心式の送風機によって構成され、動力源として室内ファンモータ（23a）を有している。室内ファンモータ（23a）は、インバータ装置（図示を省略）によって回転数を変更することができるように構成されている。
【００３３】
室内膨張弁（21）は、液連絡配管（P1）の他端と室内熱交換器（22）の液側端部との間に接続され、室内膨張弁（21）内を通過する冷媒を減圧する。例えば、室内膨張弁（21）は、開度が可変な電子膨張弁によって構成されている。
【００３４】
室内熱交換器（22）は、室内ファン（23）によって搬送された室内空気と室内熱交換器（22）内を流れる冷媒とが熱交換するように構成されている。この例では、室内熱交換器（22）は、フィン・アンド・チューブ式の熱交換器によって構成されている。また、室内熱交換器（22）のガス側端部は、ガス連絡配管（P2）の他端に接続されている。
【００３５】
〔空気調和機の運転動作〕
次に、空気調和機（1）の運転動作について説明する。この空気調和機（1）は、冷房運転と暖房運転とを切り換え可能に構成されている。
【００３６】
〈冷房運転〉
冷房運転では、四方切換弁（14）が第１状態（図１の実線で示す状態）となり、圧縮機（11），室外ファン（15），および室内ファン（23）が運転状態となる。これにより、冷媒回路（C）では、室外熱交換器（12）が凝縮器として機能し、室内熱交換器（22）が蒸発器として機能する。具体的には、圧縮機（11）によって圧縮された高圧の冷媒は、室外熱交換器（12）に流れ込み、室外熱交換器（12）において室外空気へ放熱して凝縮する。室外熱交換器（12）において凝縮した冷媒は、室外膨張弁（13）および室内膨張弁（21）によって減圧された後に室内熱交換器（22）に流れ込み、室内熱交換器（22）において室内空気から吸熱して蒸発する。これにより、室内空気が冷却される。室内熱交換器（22）において蒸発した冷媒は、圧縮機（11）に吸入されて再び圧縮される。
【００３７】
〈暖房運転〉
暖房運転では、四方切換弁（14）が第２状態（図１の破線で示す状態）となり、圧縮機（11），室外ファン（15），および室内ファン（23）が運転状態となる。これにより、冷媒回路（C）では、室内熱交換器（22）が凝縮器として機能し、室外熱交換器（12）が蒸発器として機能する。具体的には、圧縮機（11）によって圧縮された高圧の冷媒は、室内熱交換器（22）に流れ込み、室内熱交換器（22）において室内空気へ放熱して凝縮する。これにより、室内空気が加熱される。室内熱交換器（22）において凝縮した冷媒は、室内膨張弁（21）および室外膨張弁（13）によって減圧された後に室外熱交換器（12）に流れ込み、室外熱交換器（12）において室内空気から吸熱して蒸発する。室外熱交換器（12）において蒸発した冷媒は、圧縮機（11）に吸入されて再び圧縮される。
【００３８】
〔室内ユニットの構造〕
次に、図２〜図４を参照して、室内ユニット（20）の構造について説明する。室内ユニット（20）は、天井埋込式に構成され、室内空間（R）に面する天井（U）の開口部（O）に挿入されて配置される室内ユニット本体（30）と、室内ユニット本体（30）の下部に取り付けられる化粧パネル（40）とを備えている。この例では、室内ユニット本体（30）は、天井（U）の上方空間（すなわち、天井裏）において吊り下げ機構（図示を省略）によって吊り下げられている。また、室内ユニット本体（30）の下部に化粧パネル（40）を取り付けることにより、天井（U）の開口部（O）および室内ユニット本体（30）の下面が閉塞されている。
【００３９】
〈室内ユニット本体〉
室内ユニット本体（30）は、ケーシング（31）を有している。ケーシング（31）は、下面が開口する略直方体状の箱形に形成され、略正方形板状の天板（31a）と、天板（31a）の周縁部から下方に延びる略矩形板状の４枚の側板（31b）とを有している。ケーシング（31）は、室内膨張弁（21）と、室内熱交換器（22）と、室内ファン（23）と、ドレンパン（32）と、ベルマウス（33）とを収容している。さらに、ケーシング（31）内には、本体側断熱部材（34）が設けられている。
【００４０】
なお、図２は、室内ユニット（20）を斜め下方から視た場合の概略外観図である。図３は、室内ユニット（20）の概略縦断面図である。図４は、ケーシング（31）の天板（31a）と本体側断熱部材（34）とを取り外した室内ユニット（20）を上方から視た場合の概略平面図である。また、図３は、図４のIII−III線における縦断面構造に対応している。
【００４１】
《本体側断熱部材》
本体側断熱部材（34）は、下面が開口する略立方体状の箱形に形成され、ケーシング（31）の天板（31a）に沿って形成された天板側断熱部（34a）と、天板側断熱部（34a）の周縁部からケーシング（31）の４枚の側板（31b）に沿って下方に延びる４つの側板側断熱部（34b）とを有している。天板側断熱部（34a）の中央部には、室内ファンモータ（23a）の上端部を挿通可能な円形の開口部（34c）が形成されている。なお、ケーシング（31）内にドレンパン（32）を収容することができるように、側板側断熱部（34b）の上下方向の長さは、側板（31b）の上下方向の長さよりも短くなっている。
【００４２】
《室内ファン》
室内ファン（23）は、ケーシング（31）の内部中央に配置されている。室内ファン（23）は、室内ファンモータ（23a）と、ハブ（23b）と、シュラウド（23c）と、羽根車（23d）とを有している。室内ファンモータ（23a）は、室内ファンモータ（23a）の上端部を天板側断熱部（34a）の開口部（34c）に挿通してケーシング（31）の天板（31a）に取り付けることにより、ケーシング（31）の天板（31a）に支持されている。ハブ（23b）は、室内ファンモータ（23a）の径方向外方に形成される環状の基部と、その基部の内周縁部から下方に膨出する中央膨出部とを有し、室内ファンモータ（23a）の回転軸の下端に固定されている。シュラウド（23c）は、上端および下端にそれぞれ円形の開口を有し上端から下端に向かうに連れて開口面積が縮小する筒状に形成され、所定の間隔を隔ててハブ（23b）の基部に対向するようにハブ（23b）の基部の下方に配置されている。羽根車（23d）は、室内ファンモータ（23a）の回転方向に沿って配列された複数のターボ翼によって構成され、ハブ（23b）とシュラウド（23c）との間の羽根車収容空間（230）に設けられている。
【００４３】
《室内熱交換器》
室内熱交換器（22）は、室内ファン（23）の周囲を囲むように曲げられて配設された冷媒配管（伝熱管）を有し、上下方向に起立するように配置されている。また、室内熱交換器（22）の上端部は、本体側断熱部材（34）の天板側断熱部（34a）に接触している。
【００４４】
《ドレンパン》
ドレンパン（32）は、上下方向の厚みの薄い略立方体状に形成され、室内熱交換器（22）の下方に配置されている。また、ドレンパン（32）の上面は、室内熱交換器（22）の下端部に接触している。さらに、ドレンパン（32）には、内壁部（32a）と、外壁部（32b）と、水受部（32c）とが設けられている。内壁部（32a）は、室内熱交換器（22）の内周縁部に沿って環状に延び上方に起立する縦壁状に形成されている。外壁部（32b）は、ケーシング（31）の４枚の側板（31b）に沿って環状に延び上方に起立する縦壁状に形成されている。水受部（32c）は、室内熱交換器（22）において発生した凝縮水を回収することができるように、内壁部（32a）と外壁部（32b）との間に沿って環状に延びる溝状に形成されている。
【００４５】
また、ドレンパン（32）の内壁部（32a）の内周部には、ベルマウス（33）を収容することができるように上下方向に貫通する収容開口部（301）が形成されている。ドレンパン（32）の外壁部（32b）には、ケーシング（31）の４枚の側板（31b）に沿ってそれぞれ延び上下方向に貫通する４つの本体側吹出流路（302）が形成されている。さらに、ドレンパン（32）の外壁部（32b）の外周縁部（より具体的には、本体側吹出流路（302）の外側部分）は、本体側断熱部材（34）の４つの側板側断熱部（34b）の下端部に接触している。
【００４６】
《ベルマウス》
ベルマウス（33）は、上端および下端にそれぞれ円形の開口を有し上端から下端へ向かうに連れて開口面積が拡大する筒状に形成されている。また、ベルマウス（33）は、その開口上端が室内ファン（23）のシュラウド（23c）の開口下端に挿入されるように、ドレンパン（32）の収容開口部（301）に収容されている。これにより、ベルマウス（33）の内部空間は、室内ファン（23）の羽根車収容空間（230）に連通している。
【００４７】
〈化粧パネル〉
化粧パネル（40）は、上下方向の厚みの薄い略立方体状に形成されたパネル本体（41）と、略正方形板状に形成された吸込グリル（42）とを有している。
【００４８】
《パネル本体》
パネル本体（41）は、ケーシング（31）の下面（開口下面）を覆うように、ケーシング（31）の下部に取り付けられる。パネル本体（41）には、パネル側吸込流路（401）と、４つのパネル側吹出流路（402）と、４つのパネル側面凹部（403）とが形成されている。また、パネル本体（41）の外周下端部には、天井面（U1）に沿って外方に延出する略矩形枠状のパネル延出部（404）が設けられている。
【００４９】
−パネル側吸込流路−
パネル側吸込流路（401）は、パネル本体（41）の中央部に形成され、室内ユニット本体（30）のベルマウス（33）の内部空間に連通するように、パネル本体（41）の中央部を上下方向に貫通している。また、パネル側吸込流路（401）の下端には、室内空間（R）に臨む吸込口（401a）が形成されている。すなわち、パネル側吸込流路（401）は、パネル本体（41）の吸込口（401a）と室内ユニット本体（30）のベルマウス（33）の内部空間とを連通している。
【００５０】
−集塵フィルタ−
また、パネル側吸込流路（401）内には、吸込口（401a）から吸い込んだ空気中の塵埃を補足するための集塵フィルタ（43）が設けられている。
【００５１】
−パネル側吹出流路−
４つのパネル側吹出流路（402）は、パネル側吸込流路（401）の周囲を囲むように、パネル本体（41）においてパネル側吸込流路（401）の外側に形成されている。詳しく説明すると、４つのパネル側吹出流路（402）は、パネル本体（41）の４つの辺部に沿ってそれぞれ延び、室内ユニット本体（30）の４つの本体側吹出流路（302）に連通するように、パネル本体（41）の４つの辺部をそれぞれ上下方向に貫通している。また、４つのパネル側吹出流路（402）の下端には、４つの吹出口（402a）がそれぞれ形成されている。すなわち、４つのパネル側吹出流路（402）は、パネル本体（41）の４つの吹出口（402a）と室内ユニット本体（30）の４つの本体側吹出流路（302）とをそれぞれ連通している。
【００５２】
−風向調節羽根−
また、４つのパネル側吹出流路（402）の各々には、パネル側吹出流路（402）を流れる空気の風向を調節するための風向調節羽根（44）が設けられている。風向調節羽根（44）は、パネル側吹出流路（402）の長手方向の一端から他端へ向けて延びる略矩形板状に形成され、パネル側吹出流路（402）の下端部に配置されている。また、風向調節羽根（44）の長手方向の両端部の各々には、パネル本体（41）に回動可能に支持される回動軸（44a）が設けられている。これにより、風向調節羽根（44）は、回動軸（44a）を軸心として回動可能に構成されている。
【００５３】
−パネル側面凹部−
４つのパネル側面凹部（403）は、パネル本体（41）の４つの外側面にそれぞれ形成され、パネル本体（41）の４つの外側面から４つのパネル側吹出流路（402）へ向けてそれぞれ凹んでいる。パネル側面凹部（403）の長手方向の長さは、パネル側吹出流路（402）の長手方向の長さと略同一となっている。
【００５４】
−断熱部材およびシール部材−
また、４つのパネル側吹出流路（402）の内側（すなわち、パネル本体（41）の中央側）には、４つの内側断熱部材（45）がそれぞれ設けられている。４つのパネル側面凹部（403）には、４つの外側断熱部材（46）がそれぞれ設けられている。さらに、４つの内側断熱部材（45）の上面と室内ユニット本体（30）のドレンパン（32）の下面との間には、４つの内側シール部材（47）が介設されている。これと同様に、４つの外側断熱部材（46）の上面と室内ユニット本体（30）のドレンパン（32）の下面との間には、４つの内側シール部材（47）が介設されている。また、パネル延出部（404）の上面と天井面（U1）との間には、外側シール部材（48）が介設されている。
【００５５】
《吸込グリル》
吸込グリル（42）は、パネル本体（41）のパネル側吸込流路（401）の下端（すなわち、吸込口（401a））を覆うように、パネル本体（41）の下部に取り付けられる。吸込グリル（42）は、グリル本体（42a）と、グリル延長部（42b）とを有している。
【００５６】
−グリル本体−
グリル本体（42a）は、略正方形板状に形成され、パネル本体（41）のパネル側吸込流路（401）の下端（すなわち、吸込口（401a））を覆っている。グリル本体（42a）の中央部には、格子状に配列された多数の吸込孔（420）が形成されている。多数の吸込孔（420）は、グリル本体（42a）の中央部を上下方向に貫通している。また、吸込孔（420）の開口断面は、略正方形状に形成されている。
【００５７】
−グリル延長部−
グリル延長部（42b）は、グリル本体（42a）の全周からパネル本体（41）の４つの吹出口（402a）へ向けて外方に延出する略正方形枠状に形成されている。また、グリル延長部（42b）は、平面視においてパネル本体（41）の４つのパネル側吹出流路（402）の内側に設けられた４つの内側断熱部材（45）の下面と重なっている。なお、グリル延長部（42b）の外周縁は、平面視においてパネル本体（41）の４つの吹出口（402a）の内側縁よりも内側（すなわち、グリル本体（42a）側）に位置している。
【００５８】
〔室内ユニット内における空気の流れ〕
次に、図３を参照して、室内ユニット（20）内における空気の流れについて説明する。まず、室内ファン（23）が運転状態となると、室内空間（R）から吸込グリル（42）の多数の吸込孔（420），パネル本体（41）のパネル側吸込流路（401），およびベルマウス（33）の内部空間を経由して、室内ファン（23）の羽根車収容空間（230）に室内空気が吸い込まれる。羽根車収容空間（230）内の空気は、室内ファン（23）の羽根車（23d）によって搬送され、室内ファン（23）のハブ（23b）とシュラウド（23c）との間から径方向外方へ吹き出される。室内ファン（23）から吹き出された空気は、室内熱交換器（22）を通過する際に室内熱交換器（22）を流れる冷媒と熱交換する。これにより、室内熱交換器（22）を通過する空気は、室内熱交換器（22）が蒸発器として機能している場合（すなわち、冷房運転の場合）には冷却され、室内熱交換器（22）が凝縮器として機能している場合（すなわち、暖房運転の場合）には加熱されることになる。そして、室内熱交換器（22）を通過した空気は、室内ユニット本体（30）の４つの本体側吹出流路（302）に分流した後に、化粧パネル（40）の４つのパネル側吹出流路（402）を下方に流れ、４つの吹出口（402a）から室内空間（R）に吹き出される。
【００５９】
〔電装品箱〕
また、ケーシング（31）の１つの側板（31b）の外側面（以下、外側取付面（310）と表記）には、電装品箱（50）が設けられている。電装品箱（50）は、横長の立方体状の箱形に形成され、室内ユニット（20）の各部（例えば、室内ファン（23）など）の動作を制御するための制御機器（例えば、マイクロコンピュータやメモリなど）を収容している。
【００６０】
〔電装品箱の取付構造〕
次に、図５〜図７を参照して、電装品箱（50）の取付構造について説明する。ケーシング（31）の外側取付面（310）には、庇部（61）と、一対の取付片部（62）と、２つの係合片部（63）と、２つの補助片部（64）とが設けられている。この例では、電装品箱（50）は、所定の間隔を隔ててケーシング（31）の外側取付面（310）に対向するように、ケーシング（31）の外側取付面（310）の前方に配置されている。
【００６１】
なお、図５は、室内ユニット本体（30）を斜め上方から視た場合の概略斜視図である。図６は、室内ユニット本体（30）を側方から視た場合の概略側面図である。図７は、電装品箱（50）および庇部（61）をケーシング（31）の外側取付面（310）から取り外した場合の概略斜視図である。
【００６２】
〈庇部〉
庇部（61）は、電装品箱（50）の上端面を覆うように、ケーシング（31）の外側取付面（310）からケーシング（31）の外方へ向けて延出している。また、庇部（61）は、凹板部（61a）と、３つの延出板部（61b）と、取付板部（61c）と、連結板部（61d）を有している。なお、この例では、庇部（61）は、１枚の板金によって構成されている。具体的に説明すると、凹板部（61a）と３つの延出板部（61b）と取付板部（61c）と連結板部（61d）が形成されるように１枚の板金に対して機械加工（曲げ加工や穴あけ加工など）を施すことにより、庇部（61）が形成されている。
【００６３】
《凹板部および延出板部》
凹板部（61a）は、電装品箱（50）の上端面に沿うように水平方向に延びる略矩形板状に形成され、ケーシング（31）の外側取付面（310）の前方に配置されている。また、凹板部（61a）は、電装品箱（50）の上端部を下方から嵌め込むことができるように、下方から上方へ向けて凹んでいる。３つの延出板部（61b）は、凹板部（61a）の４つの側面のうちケーシング（31）の外側取付面（310）に対向する側面を除く３つの側面の下端辺から斜め下外方にそれぞれ延びる略矩形板状に形成されている。
【００６４】
《取付板部》
取付板部（61c）は、ケーシング（31）の外側取付面（310）に沿って水平方向に延びる略矩形板状に形成されている。この例では、取付板部（61c）は、電装品箱（50）の上端部に対向する位置に配置されている。取付板部（61c）の長手方向の両端部は、ネジ（71,72）を挿通可能な貫通穴（611,612）が形成されている。また、ケーシング（31）の外側取付面（310）のうち庇部（61）の貫通穴（611,612）に対応する位置には、貫通穴（611,612）と連通するネジ穴（311,312）がそれぞれ形成されている。
【００６５】
《連結板部》
連結板部（61d）は、凹板部（61a）の４つの側面のうちケーシング（31）の外側取付面（310）に対向する側面の下端辺から取付板部（61c）の上端辺まで斜め下方に延びる略矩形板状に形成されている。また、取付板部（61c）と連結板部（61d）との接続部には、２つの係合片部（63）と係合可能な２つの切り欠き部（610）が形成されている。
【００６６】
庇部（61）に形成された２つの切り欠き部（610）にケーシング（31）の外側取付面（310）に形成された２つの係合片部（63）を係合させ、庇部（61）の取付板部（61c）に形成された貫通穴（611,612）とケーシング（31）の外側取付面（310）に形成されたネジ穴（311,312）とを連通させ、ネジ（71,72）を貫通穴（611,612）に挿通してネジ穴（311,312）に締結することにより、ケーシング（31）の外側取付面（310）に庇部（61）が取り付けられる。
【００６７】
〈取付片部〉
一対の取付片部（62）は、電装品箱（50）のケーシング（31）に対向する対向面（50a）の両側面（50b）を挟み込むように、ケーシング（31）の外側取付面（310）に突設されている。具体的に説明すると、一対の取付片部（62）は、ケーシング（31）の外側取付面（310）のうち電装品箱（50）の両側面（50b）の下端部に対応する位置に突設され、電装品箱（50）の両側面（50b）に沿って上下方向に延びている。この例では、一対の取付片部（62）は、ケーシング（31）の外側取付面（310）のうち電装品箱（50）の両側面（50b）の下端部に対応する部分を略矩形状に切り起こすことによって構成されている。
【００６８】
また、一対の取付片部（62）は、電装品箱（50）の両側面（50b）に取り外し可能に取り付けられる。具体的に説明すると、一対の取付片部（62）の各々には、ネジ（73）を挿通可能な貫通穴（620）が形成されている。また、電装品箱（50）の両側面（50b）の各々には、貫通穴（620）と連通するネジ穴（510）が形成されている。貫通穴（620）は、電装品箱（50）の側面（50b）のうち取付片部（62）の貫通穴（620）に対応する位置に形成されている。取付片部（62）に形成された貫通穴（620）と電装品箱（50）の側面（50b）に形成されたネジ穴（510）とを連通させ、ネジ（73）を貫通穴（620）に挿通してネジ穴（510）に締結することにより、電装品箱（50）の側面（50b）に取付片部（62）が取り付けられる（すなわち、ネジ止めされる）。
【００６９】
〈係合片部〉
２つの係合片部（63）は、庇部（61）の２つの切り欠き部（610）にそれぞれ係合するように、ケーシング（31）の外側取付面（310）に突設されている。具体的には、２つの係合片部（63）は、ケーシング（31）の外側取付面（310）のうち庇部（61）の２つの切り欠き部（610）に対応する位置にそれぞれ突設され、ケーシング（31）の外側取付面（310）に沿って上下方向に延びている。この例では、２つの係合片部（63）は、ケーシング（31）の外側取付面（310）のうち庇部（61）の２つの切り欠き部（610）に対応する部分を略台形状に切り起こすことによって構成されている。
【００７０】
〈補助片部〉
２つの補助片部（64）は、ケーシング（31）の外側取付面（310）のうち電装品箱（50）の対向面（50a）の中央部に対応する位置に突設され、ケーシング（31）の外側取付面（310）に沿って上下方向に延びている。また、２つの補助片部（64）の突出高さは、ケーシング（31）の外側取付面（310）と電装品箱（50）の対向面（50a）との対向距離と同等となっている（または、１ｍｍ程度短くなっている）。この例では、２つの補助片部（64）は、ケーシング（31）の外側取付面（310）のうち電装品箱（50）の対向面（50a）の中央部に対応する部分を略三角形状に切り起こすことによって構成されている。
【００７１】
〈接続管〉
また、ケーシング（31）の外側取付面（310）には、液側接続管（P3）とガス側接続管（P4）とドレン接続管（P5）とが突設されている。液側接続管（P3）は、ケーシング（31）内に設けられた液配管（この例では、室内熱交換器（22）の液側端部に繋がる液配管）に連通する接続管であり、液連絡配管（P1）に接続される。ガス側接続管（P4）は、ケーシング（31）内に設けられたガス配管（この例では、室内熱交換器（22）のガス側端部に繋がるガス配管）に連通する接続管であり、ガス連絡配管（P2）に接続される。ドレン接続管（P5）は、ケーシング（31）内に設けられたドレン配管（図示を省略、この例では、ドレンパン（32）の水受部（32c）によって回収された凝縮水が流れる配管）に連通する接続管である。
【００７２】
〔電装品箱の取り付け作業〕
次に、図８を参照して、電装品箱（50）の取り付け作業について説明する。まず、電装品箱（50）を一対の取付片部（62）の間に配置し、電装品箱（50）を上方に移動させて電装品箱（50）の上端部を庇部（61）の凹板部（61a）に嵌め込む。次に、一対の取付片部（62）に形成された貫通穴（620）と電装品箱（50）の両側面（50b）に形成されたネジ穴（510）とを連通させ、ネジ（73）を取付片部（62）の貫通穴（620）に挿通して電装品箱（50）のネジ穴（510）に締結する。これにより、電装品箱（50）が取り付けられる。
【００７３】
なお、室内ユニット本体（30）を天井（U）の開口部（O）に挿入して配置する前に電装品箱（50）を取り付ける場合（例えば、工場出荷時における取り付け作業の場合）、室内ユニット本体（30）（具体的には、ケーシング（31））の上下を逆にして電装品箱（50）の取り付け作業を実行しても良い。この場合、庇部（61）の凹板部（61a）は、電装品箱（50）を下方から支持する受け皿として利用されることになる。
【００７４】
〔電装品箱の取り外し作業〕
次に、電装品箱（50）の取り外し作業について説明する。まず、電装品箱（50）のネジ穴（510）に締結されたネジ（73）を外して電装品箱（50）から取付片部（62）を取り外す。次に、電装品箱（50）を下方へ移動させて電装品箱（50）の上端部を庇部（61）の凹板部（61a）から引き抜く。これにより、電装品箱（50）が取り外される。
【００７５】
なお、天井（U）の開口部（O）に室内ユニット本体（30）が挿入されて配置されている場合、室内空間（R）にいる作業者は、室内ユニット本体（30）の下部から化粧パネル（40）を取り外し、天井（U）の開口部（O）に手を入れて天井裏において吊り下げられている室内ユニット本体（30）を持ち、天井（U）の開口部（O）から電装品箱（50）に手が届くように室内ユニット本体（30）を水平方向にずらした後に、電装品箱（50）の取り外し作業を実行しても良い。この場合、ケーシング（31）から取り外された電装品箱（50）は、天井（U）の開口部（O）から室内空間（R）に取り出されることになる。
【００７６】
〔電装品箱の取付構造に関する効果〕
以上のように、庇部（61）によって電装品箱（50）の上端面を覆うことにより、電装品箱（50）の上方から落下する水滴（例えば、雨漏りによる水滴）から電装品箱（50）を保護することができる。これにより、電装品箱（50）の防水性を向上させることができる。
【００７７】
また、電装品箱（50）の上端部を庇部（61）の凹板部（61a）に嵌め込むことにより、庇部（61）によって電装品箱（50）の上端部を支持することができる。これにより、電装品箱（50）の取付強度を向上させることができる。さらに、室内ユニット本体（30）の上下を逆にして電装品箱（50）の取り付け作業を行う場合、庇部（61）を受け皿として利用することができるので、電装品箱（50）の取り付け作業を容易に行うことができる。
【００７８】
また、庇部（61）の凹板部（61a）の下端辺から斜め下外方に延びるように庇部（61）の延出板部（61b）を形成することにより、庇部（61）の上方から落下する水滴を庇部（61）の斜め下外方に受け流すことができる。これにより、庇部（61）による防水効果を向上させることができる。
【００７９】
また、１枚の板金によって庇部（61）を構成することにより、庇部（61）の繋ぎ目をなくすことができるので、庇部（61）の繋ぎ目からの水漏れを防止することができる。これにより、庇部（61）による防水効果を向上させることができる。
【００８０】
また、ケーシング（31）の外側取付面（310）に設けられた一対の取付片部（62）を電装品箱（50）の両側面（50b）に取り付けることにより、電装品箱（50）を固定することができる。さらに、電装品箱（50）の両側面（50b）を挟み込むように一対の取付片部（62）が突設されているので、電装品箱（50）の両側面（50b）から一対の取付片部（62）が取り外されている場合に、一対の取付片部（62）の間に配置された電装品箱（50）を上下方向および前後方向に移動させることができる。これにより、電装品箱（50）の取り付け作業および取り外し作業を容易にすることができる。
【００８１】
また、ケーシング（31）の外側取付面（310）に係合片部（63）を突設するとともに庇部（61）に切り欠き部（610）を形成することにより、ケーシング（31）の外側取付面（310）に庇部（61）を取り付ける場合に、予め定められた取り付け位置に庇部（61）を容易に配置することができる。これにより、ケーシング（31）の外側取付面（310）への庇部（61）の取り付けを容易にすることができる。
【００８２】
また、ケーシング（31）の外側取付面（310）に補助片部（64）を突設することにより、電装品箱（50）の上端部を庇部（61）の凹板部（61a）に嵌め込む際に補助片部（64）をガイドとして利用することができる。これにより、庇部（61）への電装品箱（50）の嵌め込み作業を容易にすることができる。さらに、電装品箱（50）のネジ穴（510）と取付片部（62）の貫通穴（620）とを連通させる際に補助片部（64）をガイドとして利用することができる。これにより、電装品箱（50）への取付片部（62）の取り付け作業（ネジ止め）を容易にすることができる。
【００８３】
また、ケーシング（31）の外側取付面（310）に電装品箱（50）および接続管（液側接続管（P3），ガス側接続管（P4），ドレン接続管（P5））を纏めて設けることにより、室内ユニット（20）の設置作業および保守作業を容易にすることができる。さらに、ケーシング（31）の外方へ向けて突出する突起物（電装品箱（50）および接続管）がケーシング（31）の１つの外側面（外側取付面（310））に纏められているので、天井（U）の開口部（O）への室内ユニット本体（30）の挿入を容易にすることができる。また、天井（U）の開口部（O）の開口面積を小さくすることができる。
【００８４】
〔室内ユニットの仮掛構造〕
次に、図９〜図１１を参照して、室内ユニット（20）の仮掛構造について説明する。この室内ユニット（20）では、室内ユニット本体（30）および化粧パネル（40）に設けられた仮掛構造によって室内ユニット本体（30）の下部に化粧パネル（40）を吊り下げた後（すなわち、化粧パネル（40）を仮掛けした後）に、室内ユニット本体（30）の下部に化粧パネル（40）を取り付ける。化粧パネル（40）には、ケーシング（31）の下部に化粧パネル（40）を吊り下げるための一対の引っ掛け部（81）が設けられている。室内ユニット本体（30）のベルマウス（33）には、化粧パネル（40）の一対の引っ掛け部（81）が引っ掛けられることにより化粧パネル（40）を吊り下げ可能な一対のフック部（82）が設けられている。
【００８５】
なお、図９は、化粧パネル（40）を上方から視た場合の概略平面図である。図１０は、化粧パネル（40）のパネル側吸込流路（401）の中から引っ掛け部（81）を視た場合の概略部分側面図である。図１１は、仮掛構造（引っ掛け部（81）およびフック部（82））を拡大して示した概略部分縦断面図である。
【００８６】
〈引っ掛け部〉
一対の引っ掛け部（81）の各々は、引っ掛け金具（811）と、支持台部（812）とを有している。引っ掛け金具（811）の両端部は、化粧パネル（40）のパネル本体（41）の内側面（すなわち、パネル側吸込流路（401）の側面）に沿って水平方向に延びている。引っ掛け金具（811）の中央部は、Ｕ字状に形成され、引っ掛け金具（811）が吊り下げ位置（図１１の実線で示す位置）に配置された場合に引っ掛け金具（811）の湾曲端部が上方へ向けて延びるように、Ｌ字状に折れ曲がっている。支持台部（812）は、パネル本体（41）の内側面に形成され、引っ掛け金具（811）の両端部を回動可能に支持している。この例では、一対の引っ掛け部（81）は、パネル本体（41）の互いに対向する一対の内側面にそれぞれ設けられている。
【００８７】
〈フック部〉
一対のフック部（82）の各々は、ベルマウス（33）の外周下端部から下方に延びる下垂部（821）と、下垂部（821）の下端からベルマウス（33）の内部中央へ向けて水平方向に延びる延出部（822）とを有している。この例では、一対のフック部（82）は、ベルマウス（33）の内周下端部のうち化粧パネル（40）の一対の引っ掛け部（81）に対応する位置にそれぞれ設けられている。
【００８８】
〔化粧パネルの取り付け作業〕
次に、化粧パネル（40）の取り付け作業について説明する。まず、ベルマウス（33）の一対のフック部（82）の下方に化粧パネル（40）の一対の引っ掛け部（81）が配置されるように、ケーシング（31）の下方に化粧パネル（40）を配置する。次に、引っ掛け部（81）の引っ掛け金具（811）を引っ掛け位置（図１１の実線で示した位置）まで回動させて引っ掛け金具（811）をフック部（82）の延出部（822）に引っ掛ける。これにより、ケーシング（31）の下部に化粧パネル（40）が吊り下げられた状態（仮掛状態）となる。次に、化粧パネル（40）を室内ユニット本体（30）の下部に固定する（例えば、ネジ止めする）。これにより、室内ユニット本体（30）の下部に化粧パネル（40）が取り付けられる。
【００８９】
〔仮掛構造に関する効果〕
以上のように、ケーシング（31）に収容されたベルマウス（33）のフック部（82）に化粧パネル（40）の引っ掛け部（81）を引っ掛けることにより、ケーシング（31）の下部に化粧パネル（40）を吊り下げることができる。これにより、ケーシング（31）の下部への化粧パネル（40）の取り付け作業を容易にすることができる。また、ベルマウス（33）にフック部（82）を設けることにより、電装品箱（50）の下端部にフック部（82）を設ける場合よりも、天井（U）の開口部（O）の開口面積を小さくすることができる。
【００９０】
（その他の実施形態）
以上の実施形態では、天井（U）の開口部（O）に室内ユニット本体（30）が挿入されて配置されている場合を例に挙げて説明したが、室内ユニット本体（30）は、天井（U）から吊り下げられて室内空間（R）に配置されていても良い。すなわち、室内ユニット（20）は、天井埋込式に構成されていても良いし、天井吊下式に構成されていても良い。
【００９１】
なお、以上の実施形態は、本質的に好ましい例示であって、本発明、その適用物、あるいはその用途の範囲を制限することを意図するものではない。
【産業上の利用可能性】
【００９２】
以上説明したように、上述の室内ユニットは、天井に設けられる空気調和機の室内ユニットとして有用である。
【符号の説明】
【００９３】
１                空気調和装置
１０              室外ユニット
１１              圧縮機
１２              室外熱交換器
１３              室外膨張弁
１４              四方切換弁
１５              室外ファン
２０              室内ユニット
２１              室内膨張弁
２２              室内熱交換器
２３              室内ファン
３０              室内ユニット本体
３１              ケーシング
３２              ドレンパン
３３              ベルマウス
４０              化粧パネル
４１              パネル本体
４２              吸込グリル
４０１            パネル側吸込流路
４０１ａ          吸込口
４０２            パネル側吹出流路
４０２ａ          吹出口
４０３            パネル側面凹部
４０４            パネル延出部
５０              電装品箱
６１              庇部
６１ａ            凹板部
６１ｂ            延出板部
６１ｃ            取付板部
６１ｄ            連結板部
６２              取付片部
６３              係合片部
６４              補助片部
７１，７２，７３  ネジ
８１              引っ掛け部
８２              フック部
Ｐ３              液側接続管
Ｐ４              ガス側接続管
Ｐ５              ドレン接続管
Ｕ                天井
【図１】
2014215014.tif 000003
【図２】
2014215014.tif 000004
【図３】
2014215014.tif 000005
【図４】
2014215014.tif 000006
【図５】
2014215014.tif 000007
【図６】
2014215014.tif 000008
【図７】
2014215014.tif 000009
【図８】
2014215014.tif 000010
【図９】
2014215014.tif 000011
【図１０】
2014215014.tif 000012
【図１１】
2014215014.tif 000013